(57)【要約】【課題】ＩＤ、パスワードなどの秘密性の高い認証コードを明らかにすることなく情報交換できる情報供給システムを提供する。【解決手段】供給者側サーバ２５と管理サーバ２４と使用者側サーバ２３を有し、供給者側サーバ２５と管理サーバ２４の間の回線接続には認証コード（供給者サーバ側）３３を用い、使用者側サーバと管理サーバの間の回線接続には認証コード（使用者サーバ側）３２を用い、管理サーバ２４で認証コード（供給者サーバ側）３３と認証コード（使用者サーバ側）３２の変換を行う情報供給システム。【選択図】  図１
2004220338.tif 000002
【特許請求の範囲】
【請求項１】
供給者側サーバと管理サーバと使用者側サーバを有し、前記供給者側サーバと前記管理サーバの間の回線接続には認証コード（供給者サーバ側）を用い、前記使用者側サーバと管理サーバの間の回線接続には認証コード（使用者サーバ側）を用い、前記管理サーバで前記認証コード（供給者サーバ側）と前記認証コード（使用者サーバ側）の変換を行う情報供給システム。
【請求項２】
供給者側サーバと管理サーバと使用者側サーバと情報盤を有し、前記供給者側サーバと前記管理サーバの間の回線接続には認証コード（供給者サーバ側）を用い、前記情報盤と前記供給者側サーバの間の回線接続には認証コード（使用者側）を用い、前記使用者側サーバと前記管理サーバの間の回線接続には認証コード（使用者サーバ側）を用い、前記使用者側サーバで前記認証コード（使用者側）と前記認証コード（使用者サーバ側）の変換を行い、前記管理サーバで前記認証コード（供給者サーバ側）と前記認証コード（使用者サーバ側）の変換を行う情報供給システム。
【請求項３】
供給者ツールと供給者側サーバと管理サーバと使用者側サーバと情報盤を有し、前記供給者ツールと前記供給者側サーバの間の回線接続には認証コード（供給者側）を用い、前記供給者側サーバと前記管理サーバの間の回線接続には認証コード（供給者サーバ側）を用い、前記情報盤と前記供給者側サーバの間の回線接続には認証コード（使用者側）を用い、前記使用者側サーバと前記管理サーバの間の回線接続には認証コード（使用者サーバ側）を用い、前記使用者側サーバで前記認証コード（使用者側）と前記認証コード（使用者サーバ側）の変換を行い、前記供給者側サーバで前記認証コード（供給者側）と前記認証コード（供給者サーバ側）の変換を行い、前記管理サーバで前記認証コード（供給者サーバ側）と前記認証コード（使用者サーバ側）の変換を行う情報供給システム。
【請求項４】
管理サーバは固有の認証コード（供給者サーバ側）を有する複数の供給者側サーバと回線接続する請求項１から３に記載の情報供給システム。
【請求項５】
管理サーバは固有の認証コード（使用者サーバ側）を有する複数の使用者側サーバと回線接続する請求項１から４に記載の情報供給システム。
【請求項６】
供給者側サーバは固有の認証コード（供給者側）を有する複数の供給者ツールと回線接続する請求項１から５に記載の情報供給システム。
【請求項７】
使用者側サーバは固有の認証コード（使用者側）を有する複数の情報盤と回線接続する請求項１から６に記載の情報供給システム。
【請求項８】
認証コード（供給者側）と認証コード（供給者サーバ側）と認証コード（使用者側）と認証コード（使用者サーバ側）の少なくともひとつは固有の文字列コードを有する請求項１から７に記載の情報供給システム。
【請求項９】
認証コード（供給者側）と認証コード（供給者サーバ側）と認証コード（使用者側）と認証コード（使用者サーバ側）の少なくともひとつはＩＤとパスワードの２種類の固有の文字列コードを有する請求項１から８に記載の情報供給システム。
【請求項１０】
供給者サーバとの回線接続のための認証コード（供給者サーバ側）と、使用者サーバとの回線接続のための認証コード（使用者サーバ側）を変換する管理サーバ。
【請求項１１】
認証コード（供給者サーバ側）と認証コード（供給者サーバ側）はＩＤとパスワードの２種類の固有の文字列コードのうち少なくともひとつを有し、有している各々のＩＤ、またはパスワード、または両方を変換する請求項１０記載の管理サーバ。
【請求項１２】
管理サーバとの回線接続のための認証コード（使用者サーバ側）と情報盤との回線接続のための認証コード（使用者側）を変換する使用者側サーバ。
【請求項１３】
認証コード（使用者サーバ側）と認証コード（使用者側）はＩＤとパスワードの２種類の固有の文字列コードのうち少なくともひとつを有し、有している各々のＩＤ、またはパスワード、または両方を変換する請求項１２記載の使用者側サーバ。
【請求項１４】
管理サーバとの回線接続のための認証コード（供給者サーバ側）と供給者ツールとの情報交換のための認証コード（供給者側）を変換する供給者側サーバ。
【請求項１５】
認証コード（供給者サーバ側）と認証コード（供給者側）はＩＤとパスワードの２種類の固有の文字列コードのうち少なくともひとつを有し、有している各々のＩＤ、またはパスワード、または両方を変換する請求項１４記載の供給者側サーバ。
【請求項１６】
認証コード（使用者側）により使用者側サーバと回線接続し、前記使用者側サーバと相互に情報交換する情報盤。
【請求項１７】
端末機器を接続し、使用者サーバから得た情報により前記端末を制御する請求項１６記載の情報盤。
【請求項１８】
端末機器を接続し、前記端末機器の状態情報を使用者サーバに伝送する請求項１６から１７のいずれか１項に記載の情報盤。
【請求項１９】
請求項１から１８のいずれかに記載の情報盤または使用者サーバまたは供給者サーバまたは管理サーバまたは情報供給システムが有する機能の一部または全部をコンピュータにより実行するためのプログラム。
【請求項２０】
請求項１９に記載のプログラムを記録したコンピュータ読みとり可能な記録媒体。
【発明の詳細な説明】
【０００１】
【発明の属する技術分野】
本発明は、情報供給者から情報網を経由して情報盤に対して情報を伝達する、または逆に情報盤が有する情報を情報網を経由して情報供給者等の情報盤の有する情報を必要とするものに対して情報を伝達するために、相互間を回線接続する情報供給システムとこの情報システムを構成する情報盤または使用者サーバまたは供給者サーバまたは管理サーバに関するものである。
【０００２】
【従来の技術】
従来、情報供給者がネットワークを介して情報盤に伝達するシステム、またその逆に情報盤が有する情報を情報供給者に伝達するシステムとして情報供給者側サーバと使用者側サーバと情報盤を有したシステムが考案されている。また、一例として使用者側サーバが情報供給者サーバを兼ねるシステムも考案されている。例えば特許文献１に記載された調理情報システムは使用者側サーバが情報供給者サーバを兼ねたシステムの一例で、通信網を介して情報提供者サーバとデータ送受信可能な利用者端末と利用者端末とデータ送受信可能な炊飯器を備えている。ここで情報提供者サーバは本発明の使用者側サーバが情報供給者側サーバを兼ねた機能を有するサーバであり、利用者端末は本発明の情報盤、炊飯器が本発明の端末機器である。また、図３に別の従来例を示す。まず図３の従来例の構成を説明する。図３において、１は情報盤、２は情報盤１に接続した端末機器、３は使用者側サーバ、４は供給者側サーバである。５は情報盤１と使用者側サーバ３の間の回線接続を行うための認証コード（使用者側）、６は供給者側サーバ４と使用者側サーバ３の間の回線接続を行うための認証コード（供給者側）である。認証コード（使用者側）５と認証コード（供給者側）６はそれぞれ固有のＩＤとパスワード（以下ＰＷと記載）を有しており、認証コード（使用者側）５のＩＤ＝ａ、ＰＷ＝ｂであり、認証コード（供給者側）６のＩＤ＝ｃ、ＰＷ＝ｄである。
【０００３】
次に図３の従来例の動作を説明する。供給者側サーバ４が有する情報を情報盤１に伝達する場合、その間の経路を確立する必要がある。この経路は情報セキュリティ（情報の安全性）が確保されているとともに、正しい情報盤１に正しく接続するために認証確立する必要がある。供給者側サーバ４は使用者側サーバ３との間で認証コード（供給者側）６のＩＤ＝ｃ、ＰＷ＝ｄを相互に確認し、認証を確立する。また、使用者側サーバ３は情報盤１との間で認証コード（使用者側）５のＩＤ＝ａ、ＰＷ＝ｂを相互に確認し、認証を確立する。使用者側サーバ３は認証コード（使用者側）５と認証コード（供給者側）６を変換する機能を有している。以上の動作により供給者側サーバ４と情報盤１の間の回線は確立され情報伝達ができる。
【０００４】
【特許文献１】
特開２０００−３００４３０号公報
【０００５】
【発明が解決しようとする課題】
しかしながら、特許文献１に記載された従来例の調理情報システムは供給者側サーバと使用者側サーバが一体となっており、例えば経営母体が異なる会社がそれぞれ供給者側サーバと使用者側サーバを所有したいときも別々に所有することができないという課題を有しており、また図３に示す従来例では使用者サーバ３は供給者サーバ４との間の認証コード（供給者側）６のＩＤとＰＷを情報として有している。ＩＤ、ＰＷなどの認証コードは秘密性の高いものであり、供給者サーバ４にとっては他に知られることが許されない場合が多く、実施例では認証コード（供給者側）６を使用者サーバ３に知られているということは課題であり、供給者サーバにも使用者サーバにも属さない別の形で認証コードを管理できることは極めて有効である。
【０００６】
【課題を解決するための手段】
本発明は、供給者側サーバと管理サーバと使用者側サーバを有し、供給者側サーバと管理サーバの間の回線接続には認証コード（供給者サーバ側）を用い、使用者側サーバと管理サーバの間の回線接続には認証コード（使用者サーバ側）を用い、管理サーバで認証コード（供給者サーバ側）と認証コード（使用者サーバ側）の変換を行う情報供給システムとしている。また供給者側サーバと管理サーバと使用者側サーバと情報盤を有し、供給者側サーバと管理サーバの間の回線接続には認証コード（供給者サーバ側）を用い、情報盤と供給者側サーバの間の回線接続には認証コード（使用者側）を用い、使用者側サーバと管理サーバの間の回線接続には認証コード（使用者サーバ側）を用い、使用者側サーバで前記認証コード（使用者側）と前記認証コード（使用者サーバ側）の変換を行い、管理サーバで認証コード（供給者サーバ側）と認証コード（使用者サーバ側）の変換を行う情報供給システムとしている。また、供給者ツールと供給者側サーバと管理サーバと使用者側サーバと情報盤を有し、供給者ツールと供給者側サーバの間の回線接続には認証コード（供給者側）を用い、供給者側サーバと管理サーバの間の回線接続には認証コード（供給者サーバ側）を用い、情報盤と供給者側サーバの間の回線接続には認証コード（使用者側）を用い、使用者側サーバと管理サーバの間の回線接続には認証コード（使用者サーバ側）を用い、使用者側サーバで認証コード（使用者側）と認証コード（使用者サーバ側）の変換を行い、供給者側サーバで認証コード（供給者側）と認証コード（供給者サーバ側）の変換を行い、管理サーバで認証コード（供給者サーバ側）と認証コード（使用者サーバ側）の変換を行う情報供給システムとしている。また本発明の情報供給システムを構成する情報盤または使用者サーバまたは供給者サーバまたは管理サーバとしている。
【０００７】
【発明の実施の形態】
請求項１に記載した発明は、供給者側サーバと管理サーバと使用者側サーバを有し、供給者側サーバと管理サーバの間の回線接続には認証コード（供給者サーバ側）を用い、使用者側サーバと管理サーバの間の回線接続には認証コード（使用者サーバ側）を用い、管理サーバで認証コード（供給者サーバ側）と認証コード（使用者サーバ側）の変換を行う情報供給システムを実現することができる。請求項２に記載した発明は、供給者側サーバと管理サーバと使用者側サーバと情報盤を有し、供給者側サーバと管理サーバの間の回線接続には認証コード（供給者サーバ側）を用い、情報盤と供給者側サーバの間の回線接続には認証コード（使用者側）を用い、使用者側サーバと管理サーバの間の回線接続には認証コード（使用者サーバ側）を用い、使用者側サーバで前記認証コード（使用者側）と前記認証コード（使用者サーバ側）の変換を行い、管理サーバで認証コード（供給者サーバ側）と認証コード（使用者サーバ側）の変換を行う情報供給システムを実現することができる。
【０００８】
請求項３に記載した発明は、供給者ツールと供給者側サーバと管理サーバと使用者側サーバと情報盤を有し、供給者ツールと供給者側サーバの間の回線接続には認証コード（供給者側）を用い、供給者側サーバと管理サーバの間の回線接続には認証コード（供給者サーバ側）を用い、情報盤と供給者側サーバの間の回線接続には認証コード（使用者側）を用い、使用者側サーバと管理サーバの間の回線接続には認証コード（使用者サーバ側）を用い、使用者側サーバで認証コード（使用者側）と認証コード（使用者サーバ側）の変換を行い、供給者側サーバで認証コード（供給者側）と認証コード（供給者サーバ側）の変換を行い、管理サーバで認証コード（供給者サーバ側）と認証コード（使用者サーバ側）の変換を行う情報供給システムを実現することができる。
【０００９】
請求項４に記載した発明は、管理サーバは固有の認証コード（供給者サーバ側）を有する複数の供給者側サーバと回線接続する情報供給システムを実現することができる。
【００１０】
請求項５に記載した発明は、管理サーバは固有の認証コード（使用者サーバ側）を有する複数の使用者側サーバと回線接続する情報供給システムを実現することができる。
【００１１】
請求項６に記載した発明は、供給者側サーバは固有の認証コード（供給者側）を有する複数の供給者ツールと回線接続する情報供給システムを実現することができる。
【００１２】
請求項７に記載した発明は、使用者側サーバは固有の認証コード（使用者側）を有する複数の情報盤と回線接続する情報供給システムを実現することができる。
【００１３】
請求項８に記載した発明は、認証コード（供給者側）と認証コード（供給者サーバ側）と認証コード（使用者側）と認証コード（使用者サーバ側）の少なくともひとつは固有の文字列コードを有する情報供給システムを実現することができる。
【００１４】
請求項９に記載した発明は、認証コード（供給者側）と認証コード（供給者サーバ側）と認証コード（使用者側）と認証コード（使用者サーバ側）の少なくともひとつはＩＤとパスワードの２種類の固有の文字列コードを有する情報供給システムを実現することができる。
【００１５】
請求項１０に記載した発明は、供給者サーバとの回線接続のための認証コード（供給者サーバ側）と、使用者サーバとの回線接続のための認証コード（使用者サーバ側）を変換する管理サーバを実現することができる。
【００１６】
請求項１１に記載した発明は、認証コード（供給者サーバ側）と認証コード（供給者サーバ側）はＩＤとパスワードの２種類の固有の文字列コードのうち少なくともひとつを有し、有している各々のＩＤ、またはパスワード、または両方を変換する管理サーバを実現することができる。
【００１７】
請求項１２に記載した発明は、管理サーバとの回線接続のための認証コード（使用者サーバ側）と情報盤との回線接続のための認証コード（使用者側）を変換する使用者側サーバを実現することができる。
【００１８】
請求項１３に記載した発明は、認証コード（使用者サーバ側）と認証コード（使用者側）はＩＤとパスワードの２種類の固有の文字列コードのうち少なくともひとつを有し、有している各々のＩＤ、またはパスワード、または両方を変換する使用者側サーバを実現することができる。
【００１９】
請求項１４に記載した発明は、管理サーバとの回線接続のための認証コード（供給者サーバ側）と供給者ツールとの情報交換のための認証コード（供給者側）を変換する供給者側サーバを実現することができる。
【００２０】
請求項１５に記載した発明は、認証コード（供給者サーバ側）と認証コード（供給者側）はＩＤとパスワードの２種類の固有の文字列コードのうち少なくともひとつを有し、有している各々のＩＤ、またはパスワード、または両方を変換する供給者側サーバを実現することができる。
【００２１】
請求項１６に記載した発明は、認証コード（使用者側）により使用者側サーバと回線接続し、前記使用者側サーバと相互に情報交換する情報盤を実現することができる。
【００２２】
請求項１７に記載した発明は、端末機器を接続し、使用者サーバから得た情報により前記端末を制御する情報盤を実現することができる。
【００２３】
請求項１８に記載した発明は、端末機器を接続し、前記端末機器の状態情報を使用者サーバに伝送する情報盤を実現することができる。
【００２４】
請求項１９に記載した発明は、情報盤または使用者サーバまたは供給者サーバまたは管理サーバまたは情報供給システムが有する機能の少なくとも一部をコンピュータにより実行するためのプログラムとしている。
【００２５】
請求項２０に記載した発明は、プログラムおよびデータの少なくともいずれか一方を含む記録媒体としている。
【００２６】
そして、プログラムであるので家庭にあるコンピュータ等などを用いて本発明の電気機器の一部あるいは全てを容易に実現することができる。また記録媒体に記録したり通信回線を用いてプログラムを配信したりすることでプログラムの配布が簡単にできる。
【００２７】
【実施例】
以下本発明の実施例について説明する。まず本実施例の情報供給システムのシステムの構成を説明する。図１は本実施例の情報供給システムの全体構成の実施例を示すブロック図である。図１で２１は情報盤、２２は情報盤２１に接続した端末機器である。情報盤２１は液晶画面などの表示手段２１ａを有している。端末機器２２としてはガス給湯器、セントラルヒーティングシステム、エアコン、電子レンジ、洗濯機、炊飯器、冷蔵庫等、いろいろな種類の機器が考えられる。情報盤２１と端末機器２２の間の通信形態としては小電力無線、微弱無線、ＰＨＰ通信、赤外線、ブルートゥース等の無線通信や、専用線接続、電力線搬送通信などの各種有線通信が考えられる。２３は使用者側サーバであり、２４は管理サーバ、２５は供給者側サーバであり、２６は供給者ツールである。供給者ツール２６としては携帯電話やパソコンやＰＤＡなど各種の情報機器が考えられる。ここでは携帯電話として例示する。３１は認証コード（使用者側）で、３２は認証コード（使用者サーバ側）、３３は認証コード（供給者サーバ側）で、３４は認証コード（供給者側）である。本実施例では３１から３４の各種認証コードはそれぞれ固有の文字列としてＩＤとパスワード（以下ＰＷと記載）を有している。但し、本発明としては３１から３４の各種認証コードの全てが必ずしもＩＤとＰＷを持つ必要はない。本実施例では認証コード（使用者側）３１のＩＤは「Ａ」、ＰＷは「Ｂ」。認証コード（使用者サーバ側）３２のＩＤは「Ｅ１」、ＰＷは「Ｆ１」。認証コード（供給者サーバ側）３３のＩＤは「Ｅ２」、ＰＷは「Ｆ２」。認証コード（供給者側）３４のＩＤは「Ｃ」、ＰＷは「Ｄ」とする。
【００２８】
次に本実施例の動作について説明する。供給者ツール２６で作製した情報を情報盤２１の表示手段２１ａで表示するとき、情報伝達のルートは供給者ツール２６から供給者側サーバ２５、管理サーバ２４、使用者側サーバ２３を介して情報盤２１に情報を伝達する。また同様に、供給者ツール２６で発生した端末機器２２に対する制御情報は一般的に携帯電話からの家庭内機器のテレコントロールと呼ばれているが情報の伝達ルートは供給者ツール２６から供給者側サーバ２５、管理サーバ２４、使用者側サーバ２３を介して情報盤２１に情報を伝達し、情報盤２１が端末機器２２を制御する。一方例えば端末機器２２の状態を供給者ツール２６に伝える場合、情報の伝達ルートは端末機器２２から情報盤２１、使用者側サーバ２３、管理サーバ２４、供給者側サーバ２５を介して供給者ツール２６に情報を伝達する。上記情報伝達ルートのいずれの場合も各構成要素間で情報を伝達する場合は各構成要素間で認証を行う必要がある。この認証は情報伝達のセキュリティー性（安全性）を確保するために、また、例えば供給者ツール２６に正しく対応した情報盤２１と情報伝達を行うためのくくり付けを行うためなどに重要である。情報盤２１と使用者側サーバ２３の間の認証コードは認証コード（使用者側）３１である。使用者側サーバ２３と管理サーバ２４の間の認証コードは認証コード（使用者サーバ側）３２である。供給者側サーバ２５と管理サーバ２４の間の認証コードは認証コード（供給者サーバ側）３３である。供給者側サーバ２５と供給者ツール２６の間の認証コードは認証コード（供給者側）３４である。各種認証コード３１、３２、３３、３４はそれぞれＩＤとＰＷを有している。使用者側サーバ２３は、認証コード（使用者側）３１と認証コード（使用者サーバ側）３２のＩＤとＰＷを変換する機能を有している。また、管理サーバ２４は、認証コード（使用者サーバ側）３２と認証コード（供給者サーバ側）３３のＩＤとＰＷを変換する機能を有している。また、供給者側サーバ２５は、認証コード（供給者サーバ側）３３と認証コード（供給者側）３４のＩＤとＰＷを変換する機能を有している。これにより、上記した情報伝達ルートが確保する（回線接続する）でき、情報の伝達や制御、端末機器の状態モニタなどが実現できる。
【００２９】
次に図２を用いて本実施例の具体的な動作例を示す。図２において端末機器２２はガスを熱源としたセントラル給湯システムであり、湯沸かし器４１、風呂給湯手段４２、台所給湯手段４３、床暖房４４、浴室換気乾燥機４５、温水エアコン４６から成っている。図２では端末機器２２の構成要素は各１台として示しているが複数台あっても良い。例えば床暖房４４はリビング用、洋室用など複数台あっても良い。また、各構成要素は湯沸かし器４１で生成した温水を用いて機能するものである。例えば風呂給湯手段４２、台所給湯手段４３は湯沸かし器４１で生成した温水をそれぞれ風呂と台所へ供給する。また床暖房４４は温水を熱源とした床暖房であり、浴室換気乾燥機４５は温水を熱源とした換気乾燥機であり、温水エアコン４６は温水を熱源としたエアコンである。冷房は電気式ヒートポンプをエネルギー源とすることもある。また、本実施例のその他の構成要素は図１と同様の機能を有するものとする。
【００３０】
本実施例における主な動作例を以下に示す。まず第一番目の動作例として、供給者側サーバ２５で作製したコンテンツ（生活情報等の文字情報や画像データなど）を情報盤２１の表示手段２１ａに表示する方法を示す。これには２種類の方法がある。１番目の方法は情報盤２１が要求を発信することにより行う場合。２番目の方法は供給者側サーバ２５が起動して情報盤２１に対して送り込む方法。１番目の方法は以下の通り。情報盤２１は使用者側サーバ２３に対して、情報盤２１が正しく使用者側サーバ２３に接続可能な情報盤であることの認証作業を行う。このとき用いるのが認証コード（使用者側）３１であり、本実施例ではＩＤ＝Ａ、ＰＷ＝Ｂを情報盤２１と使用者サーバ２３の双方で確認して認証を確立する。使用者側サーバ２３は管理サーバ２４に対する認証コード（使用者サーバ側）３２との変換機能を有しており、ここではＩＤ＝Ａ＝Ｅ１、ＰＷ＝Ｂ＝Ｆ１として、管理サーバ２４に対して認証確立を行う。使用者側サーバ２３と管理サーバ２４の双方でＩＤ＝Ｅ１、ＰＷ＝Ｆ１を確認して認証を確立する。管理サーバ２４は供給者側サーバ２５に対する認証コード（供給者サーバ側）３３との変換機能を有しており、ここではＩＤ＝Ｅ１＝Ｅ２、ＰＷ＝Ｆ１＝Ｆ２として、供給者側サーバ２５に対して認証確立を行う。管理サーバ２４と供給者側サーバ２５の双方でＩＤ＝Ｅ２、ＰＷ＝Ｆ２を確認して認証を確立する。これらにより情報盤２１と供給者側サーバ２５の間の認証が確立し、情報交換が可能となる。即ち、情報盤２１が使用者側サーバ２３、管理サーバ２４を介して供給者側サーバ２５に対して、コンテンツの要求を行い、供給者側サーバ２５は管理サーバ２４、使用者側サーバ２３を介して情報盤２１にコンテンツを供給し、表示手段２１ａに表示する。次に２番目の方法の供給者側サーバ２５が起動して情報盤２１に対して送り込む方法について説明する。前記１番目の方法と同様ではあるが逆の順番で認証を確立する。まず供給者側サーバ２５と管理サーバの間の認証確立。次に管理サーバ２４と使用者側サーバ２３の間の認証確立。次に使用者側サーバ２３と情報盤２１の間の認証確立。これらの認証確立を行うことによりに、供給者側サーバ２５は管理サーバ２４、使用者側サーバ２３を介して情報盤２１にコンテンツ情報を供給し、表示手段２１ａに表示する。
【００３１】
次に第二番目の動作例として、供給者ツール（ここでは携帯電話とする）２６から情報盤２１を介して端末機器２２を制御する方法を示す。本実施例では端末機器２２は湯沸かし器４１、風呂給湯手段４２、台所給湯手段４３、床暖房４４、浴室換気乾燥機４５、温水エアコン４６を接続しており、情報盤２１に制御指令が届いたとき、情報盤２１を介して湯沸かし器４１、風呂給湯手段４２、台所給湯手段４３、床暖房４４、浴室換気乾燥機４５、温水エアコン４６を制御する。例えば床暖房４４の制御指令を供給者ツール４６で発起したとき、途中経路を介して情報盤２１に制御指令が届き、情報盤２１は湯沸かし器４１で温水を作り、この温水を用いて床暖房４４を制御する指令を発信する。もちろん情報盤２１が制御指令を出すのではなく、湯沸かし器４１や床暖房４４に直接制御指令が届くとしても良い。制御指令が届くまでの途中継路は以下の通り。供給者ツール２６は供給者側サーバ２５に対して、供給者ツール２６が正しく供給者側サーバ２５に接続可能な供給者ツールであることの認証作業を行う。このとき用いるのが認証コード（供給者側）３４であり、本実施例ではＩＤ＝Ｃ、ＰＷ＝Ｄを供給者ツール２６と供給者サーバ２５の双方で確認して認証を確立する。供給者側サーバ２５は管理サーバ２４に対する認証コード（供給者サーバ側）３３との変換機能を有しており、ここではＩＤ＝Ｃ＝Ｅ２、ＰＷ＝Ｄ＝Ｆ２として、管理サーバ２４に対して認証確立を行う。供給者側サーバ２５と管理サーバ２４の双方でＩＤ＝Ｅ２、ＰＷ＝Ｆ２を確認して認証を確立する。管理サーバ２４は使用者側サーバ２３に対する認証コード（使用者サーバ側）３２との変換機能を有しており、ここではＩＤ＝Ｅ１＝Ｅ２、ＰＷ＝Ｆ１＝Ｆ２として、使用者側サーバ２３に対して認証確立を行う。管理サーバ２４と使用者側サーバ２３の双方でＩＤ＝Ｅ１、ＰＷ＝Ｆ１を確認して認証を確立する。供給者側サーバ２５は情報盤２１に対する認証コード（使用者側）３１との変換機能を有しており、ここではＩＤ＝Ｅ１＝Ａ、ＰＷ＝Ｆ１＝Ｂとして、情報盤２１に対して認証確立を行う。供給者側サーバ２３と情報盤２１の双方でＩＤ＝Ａ、ＰＷ＝Ｂを確認して認証を確立する。以上の手順で供給者側ツール２６と情報盤２１との間の認証が確立し、情報交換が可能となる。即ち、供給者ツール２６が供給者側サーバ２５、管理サーバ２４、使用者側サーバ２３を介して情報盤２１に対して、端末機器２２の制御指令（制御要求）を行い、上記した手順で端末機器２２を制御する。また、逆の手順として情報盤２１からポーリングを行うことにより制御する方法もある。このときの認証の手順は上記した手順と経路、または逆の手順と経路で行う。
【００３２】
次に第三番目の動作例として、供給者ツール（ここでは携帯電話とする）２６に対して情報盤２１を介して端末機器２２の状態を伝送する方法を示す。本実施例では端末機器２２は湯沸かし器４１、風呂給湯手段４２、台所給湯手段４３、床暖房４４、浴室換気乾燥機４５、温水エアコン４６を接続しており、情報盤２１を介して湯沸かし器４１、風呂給湯手段４２、台所給湯手段４３、床暖房４４、浴室換気乾燥機４５、温水エアコン４６の状態を伝える。例えば床暖房４４のＯＮ／ＯＦＦ状態や温度設定状態やタイマ設定状態などを途中経路を介して情報盤２１から供給者ツール２６に伝達する。状態情報が届くまでの途中継路は以下の通り。端末機器２２はその状態、例えば床暖房４４の状態情報を情報盤２１に伝える。情報盤２１と供給者ツール２６の間の経路確立は、情報盤２１は使用者側サーバ２３に対して、情報盤２１が正しく使用者側サーバ２３に接続可能な情報盤であることの認証作業を行う。このとき用いるのが認証コード（使用者側）３１であり、本実施例ではＩＤ＝Ａ、ＰＷ＝Ｂを情報盤２１と使用者サーバ２３の双方で確認して認証を確立する。使用者側サーバ２３は管理サーバ２４に対する認証コード（使用者サーバ側）３２との変換機能を有しており、ここではＩＤ＝Ａ＝Ｅ１、ＰＷ＝Ｂ＝Ｆ１として、管理サーバ２４に対して認証確立を行う。使用者側サーバ２３と管理サーバ２４の双方でＩＤ＝Ｅ１、ＰＷ＝Ｆ１を確認して認証を確立する。管理サーバ２４は供給者側サーバ２５に対する認証コード（供給者サーバ側）３３との変換機能を有しており、ここではＩＤ＝Ｅ１＝Ｅ２、ＰＷ＝Ｆ１＝Ｆ２として、供給者側サーバ２５に対して認証確立を行う。管理サーバ２４と供給者側サーバ２５の双方でＩＤ＝Ｅ２、ＰＷ＝Ｆ２を確認して認証を確立する。供給者側サーバ２５は供給者ツール２６に対する認証コード（供給者側）３４との変換機能を有しており、ここではＩＤ＝Ｅ２＝Ｃ、ＰＷ＝Ｆ２＝Ｄとして、供給者ツール２６に対して認証確立を行う。供給者側サーバ２５と供給者ツール２６の双方でＩＤ＝Ｃ、ＰＷ＝Ｄを確認して認証を確立する。以上の手順により情報盤２１と供給者ツール２６の間の認証が確立し、情報交換が可能となる。即ち、情報盤２１が有する端末機器２２の状態情報を、使用者側サーバ２３、管理サーバ２４、供給者側サーバ２５を介して供給者ツール２６に対して伝える。また、逆の手順として情報盤２１からポーリングを行うことにより制御する方法もある。このときの認証の手順は上記した手順と経路、または逆の手順と経路で行う。なお、使用者側サーバ２３、管理サーバ２４、供給者側サーバ２５のハード構成は任意であり、例えば使用者側サーバ２３、管理サーバ２４は同一のハードで構成するなどとしても良いのはいうまでもない。なお、各種認証コードのＩＤとＰＷはそれぞれ異なるとしてここまで説明してきたが、その一部が同一であっても良いのはいうまでもない。
【００３３】
【発明の効果】
以上のように、従来例では使用者サーバは供給者サーバとの間の認証コード（供給者側）のＩＤとＰＷを情報として有している。ＩＤ、ＰＷなどの認証コードは秘密性の高いものであり、供給者サーバにとっては他に知られることが許されない場合が多く、実施例では認証コード（供給者側）を使用者サーバに知られているということは課題であり、供給者サーバにも使用者サーバにも属さない別の形で認証コードを管理できることは極めて有効である。
【図面の簡単な説明】
【図１】本発明の実施例である情報供給システムの構成を示すブロック図
【図２】本発明の実施例である情報供給システムの構成を示すブロック図
【図３】従来例の構成を示すブロック図
【符号の説明】
２１  情報盤
２２  端末機器
２３  使用者側サーバ
２４  管理サーバ
２５  供給者側サーバ
２６  供給者ツール
３１  認証コード（使用者側）
３２  認証コード（使用者サーバ側）
３３  認証コード（供給者サーバ側）
３４  認証コード（供給者側）
４１  湯沸かし器
４２  風呂給湯手段
４３  台所給湯手段
４４  床暖房
４５  浴室換気乾燥機
４６  温水エアコン
【図１】
2004220338.tif 000003
【図２】
2004220338.tif 000004
【図３】
2004220338.tif 000005